(57)【要約】【課題】  作業時に衣服破損や怪我を生じる頻度を低減して所期の作業を安全に行うことができるコンクリートブロックを提供する。【解決手段】  側壁ブロック１１の補強鉄筋１２として湾曲部分１２ａと該湾曲部分１２ａと連続する２つの直線部分１２ｂとを有する形状のものを採用し、該補強鉄筋１２の湾曲部分１２ａ及び湾曲部分１２ａ近傍の２つの直線部分１２ｂの一部を被接触面１１ｃから突出させてあるので、側壁ブロック１１を現場に搬入する際や搬入場所から目的場所に移動して載置する際や載置後に連結鉄筋１４等を連結する際に補強鉄筋１２の突出端に作業者の衣服が引っ掛かって衣服に破損を生じる頻度を低減でき、また、補強鉄筋１２の突出端に作業者の手足等が接触して作業者が怪我をする頻度を低減できる。【選択図】  図４
2007255057.tif 000002
【特許請求の範囲】
【請求項１】
場所打ちコンクリート部と接触する被接触面から補強鉄筋の一部を突出したコンクリートブロックであって、
前記補強鉄筋は湾曲部分と該湾曲部分と連続する２つの直線部分とを有する形状を成し、湾曲部分及び湾曲部分近傍の２つの直線部分の一部を被接触面から突出し且つ２つの直線部分の残部をコンクリートブロックに埋設されている、
ことを特徴とするコンクリートブロック。
【請求項２】
場所打ちコンクリート部と接触する被接触面から補強鉄筋の一部を突出したコンクリートブロックと、コンクリートブロックの相対する補強鉄筋の突出部分それぞれに両端部を重ね合わせて連結された連結鉄筋と、補強鉄筋の突出部分及び連結鉄筋が埋設するようにコンクリートブロックの被接触面間に形成された場所打ちコンクリート部とを備えたコンクリートブロックの結合構造であって、
前記コンクリートブロックの補強鉄筋は湾曲部分と該湾曲部分と連続する２つの直線部分とを有する形状を成し、湾曲部分及び湾曲部分近傍の２つの直線部分の一部を被接触面から突出し且つ２つの直線部分の残部をコンクリートブロックに埋設されており、
前記連結鉄筋は両端の湾曲部分と該各湾曲部分と連続する２つの直線部分とを有する形状を成し、コンクリートブロックの相対する補強鉄筋の突出部分それぞれに両端部を重ね合わせて連結されている、
ことを特徴とするコンクリートブロックの結合構造。
【発明の詳細な説明】
【技術分野】
【０００１】
本発明は、場所打ちコンクリート部を介して相互結合されるコンクリートブロックと、該コンクリートブロックの結合構造に関する。
【背景技術】
【０００２】
断面矩形状或いは断面Ｕ字状の水路または通路，擁壁，貯水槽等の比較的大型のコンクリート構造物には、コスト削減を目的として底版部分に場所打ちコンクリートが採用されている。
【０００３】
図１は場所打ちコンクリートを採用した水路または通路の一例を示すもので、符号１はプレキャストの側壁ブロック、符号２は場所打ちコンクリート部である。側壁ブロック１は所定の幅Ｗ及び高さＨを有しており、側版部１ａの下端に底版部１ｂを備える。側壁ブロック１はその幅方向と直交する方向に間隔を置いて向き合うように配置され、対向する底版部１ｂ間に場所打ちコンクリート部２が形成されている。
【０００４】
図２に示すように、側壁ブロック１は場所打ちコンクリート部２と接触する底版部１ｂの端面（被接触面）１ｃから補強鉄筋３の一部を突出している。詳しくは、補強鉄筋３は上下２列で且つ幅方向に間隔をおいて複数設けられており、各補強鉄筋３は直線状でその一部を被接触面１ｃから突出し且つ残部を側壁ブロック１に埋設されている。各補強鉄筋３の突出部分には後述の連結鉄筋４との連結の的確性を高めるためにかなりの長さが確保されている。
【０００５】
図１に示したコンクリート構造物を構築するに際して側壁ブロック１を場所打ちコンクリート部２を介して相互結合するときには、図２に示すように側壁ブロック１を互いの被接触面１ｃが向き合うように基準面ＲＰに載置する。そして、図３に示すように側壁ブロック１の相対する補強鉄筋３の突出部分それぞれに直線状の連結鉄筋４の両端部を重ね合わせて結束或いは溶着によって連結する。そして、補強鉄筋３の突出部分及び連結鉄筋４が埋設するように側壁ブロック１の被接触面１ｃ間にコンクリートを打設して場所打ちコンクリート部２を形成する。
【特許文献１】特開平４−２９３８３０号公報
【特許文献２】特開２０００−２０４６４３号公報
【発明の開示】
【発明が解決しようとする課題】
【０００６】
前記側壁ブロック１の補強鉄筋３の突出部分はかなりの長さを有しているため、側壁ブロック１を現場に搬入する際や搬入場所から目的場所に移動して載置する際や載置後に連結鉄筋４を連結する際に補強鉄筋３の突出端に作業者の衣服が引っ掛かって衣服に破損を生じる頻度、並びに、補強鉄筋３の突出端に作業者の手足等が接触して作業者が怪我をする頻度が高い。これら衣服破損や怪我が発生したときには当然ながら作業が一時的に中断してしまうため、本来の作業に遅延が生じてしまう。
【０００７】
本発明は前記事情に鑑みて創作されたもので、作業時に衣服破損や怪我を生じる頻度を低減して所期の作業を安全に行うことができるコンクリートブロックと該コンクリートブロックの結合構造を提供することにある。
【課題を解決するための手段】
【０００８】
前記目的を達成するため、本発明は、場所打ちコンクリート部と接触する被接触面から補強鉄筋の一部を突出したコンクリートブロックであって、前記補強鉄筋は湾曲部分と該湾曲部分と連続する２つの直線部分とを有する形状を成し、湾曲部分及び湾曲部分近傍の２つの直線部分の一部を被接触面から突出し且つ２つの直線部分の残部をコンクリートブロックに埋設されている、ことをその特徴とする。
【０００９】
また、本発明は、場所打ちコンクリート部と接触する被接触面から補強鉄筋の一部を突出したコンクリートブロックと、コンクリートブロックの相対する補強鉄筋の突出部分それぞれに両端部を重ね合わせて連結された連結鉄筋と、補強鉄筋の突出部分及び連結鉄筋が埋設するようにコンクリートブロックの被接触面間に形成された場所打ちコンクリート部とを備えたコンクリートブロックの結合構造であって、前記コンクリートブロックの補強鉄筋は湾曲部分と該湾曲部分と連続する２つの直線部分とを有する形状を成し、湾曲部分及び湾曲部分近傍の２つの直線部分の一部を被接触面から突出し且つ２つの直線部分の残部をコンクリートブロックに埋設されており、前記連結鉄筋は両端の湾曲部分と該各湾曲部分と連続する２つの直線部分とを有する形状を成し、コンクリートブロックの相対する補強鉄筋の突出部分それぞれに両端部を重ね合わせて連結されている、ことをその特徴とする
前記のコンクリートブロックによれば、側壁ブロックの補強鉄筋として湾曲部分と該湾曲部分と連続する２つの直線部分とを有する形状のものを採用し、該補強鉄筋の湾曲部分及び湾曲部分近傍の２つの直線部分の一部を被接触面から突出させてあるので、側壁ブロックを現場に搬入する際や搬入場所から目的場所に移動して載置する際や載置後に連結鉄筋を連結する際に補強鉄筋の突出端に作業者の衣服が引っ掛かって衣服に破損を生じる頻度を低減でき、また、補強鉄筋の突出端に作業者の手足等が接触して作業者が怪我をする頻度を低減できる。
【００１０】
また、前記の側壁ブロックの結合構造によれば、連結鉄筋として両端の湾曲部分と該各湾曲部分と連続する２つの直線部分とを有する形状のものを採用しているので、側壁ブロック載置後に連結鉄筋を連結する際に連結鉄筋の両端に作業者の衣服が引っ掛かって衣服に破損を生じる頻度、並びに、連結鉄筋の両端に作業者の手足等が接触して作業者が怪我をする頻度を低減できる。
【００１１】
つまり、前述の側壁ブロック及びその結合構造によれば、作業時に衣服破損や怪我を生じる頻度を低減して所期の作業を安全に行うことができる。
【発明の効果】
【００１２】
本発明によれば、作業時に衣服破損や怪我を生じる頻度を低減して所期の作業を安全に行うことができるコンクリートブロックと該コンクリートブロックの結合構造を提供できる。
【００１３】
本発明の前記目的とそれ以外の目的と、構成特徴と、作用効果は、以下の説明と添付図面によって明らかとなる。
【発明を実施するための最良の形態】
【００１４】
［第１実施形態］
図４〜図８は、本発明を水路または通路用の側壁ブロックに適用した第１実施形態を示す。
【００１５】
まず、図４を参照してプレキャストの側壁ブロック１１の構造について説明する。図４（Ａ）は側壁ブロックの一部破断斜視図、図４（Ｂ）は図４（Ａ）の部分縦断面図である。
【００１６】
側壁ブロック１１は所定の幅Ｗ及び高さＨを有しており、側版部１１ａの下端に底版部１１ｂを備える。この側壁ブロック１１は場所打ちコンクリート部（図８の符号１６参照）と接触する底版部１１ｂの端面（被接触面）１１ｃから補強鉄筋１２の一部を突出している。
【００１７】
詳しくは、補強鉄筋１２は幅方向に間隔をおいて複数設けられている。各補強鉄筋１２は略半円形の湾曲部分１２ａと該湾曲部分１２ａと連続する上下２つの直線部分１２ｂとを有する形状を成し、湾曲部分１２ａ及び湾曲部分１２ａ近傍の２つの直線部分１２ｂの一部を被接触面１１ｃから突出し且つ２つの直線部分１２ｂの残部を側壁ブロック１１に埋設されている。補強鉄筋１２の下側の直線部分１２ｂの長さは上側の直線部分１２ｂの長さよりも長い。また、側壁ブロック１１には直線状の第２の補強鉄筋１３が埋設されており、該第２の補強鉄筋１３の一端部は補強鉄筋１２の上側の直線部分１２ｂの端部と重ね合わせて結束或いは溶着によって連結されている。
【００１８】
次に、図５〜図８を参照して図４に示した側壁ブロック１１の結合手順についてその結合構造を交えて説明する。
【００１９】
前記側壁ブロック１１を場所打ちコンクリート部（図８の符号１６参照）を介して相互結合するときには、図５に示すように側壁ブロック１１を互いの被接触面１１ｃが向き合うように基準面ＲＰに載置する。
【００２０】
そして、図６に示すように側壁ブロック１１の相対する補強鉄筋１２の突出部分（湾曲部分１２ａ及び湾曲部分１２ａ近傍の２つの直線部分１２ｂの一部）それぞれに同図に示す連結鉄筋１４の両端部を重ね合わせて結束或いは溶着によって連結する。この連結鉄筋１４は両端の略半円形の湾曲部分１４ａと該各湾曲部分１４ａと連続する上下２つの直線部分１４ｂ，１４ｃとを有する形状を成し、下側の直線部分１４ｂは両端の湾曲部分１４ａに及ぶ長さを有し、上側の直線部分１４ｃは両端の湾曲部分１４ａから内側に向けて所定の長さを有する。
【００２１】
図６から分かるように、連結鉄筋１４の重ね合わせは、連結鉄筋１４の湾曲部分１４ａ近傍の２つの直線部分１４ｂ，１４ｃの一部を、側壁ブロック１１の補強鉄筋１２の湾曲部分１２ａ近傍の２つの直線部分１２ｂの一部に重ね合わせることにより実施される。また、連結鉄筋１４の連結は、連結鉄筋１４の湾曲部分１４ａ近傍の２つの直線部分１４ｂ，１４ｃの一部と側壁ブロック１１の補強鉄筋１２の湾曲部分１２ａ近傍の２つの直線部分１２ｂの一部との重なり箇所をそれぞれ結束或いは溶着することにより実施される。
【００２２】
そして、図７に示すように連結鉄筋１４の上側の直線部分１４ｃそれぞれに同図に示す直線状の第２の連結鉄筋１５の両端部を重ね合わせて結束或いは溶着によって連結する。
【００２３】
そして、図８に示すように補強鉄筋１２の突出部分，連結鉄筋１４及び第２の連結鉄筋１５が埋設するように側壁ブロック１１の被接触面１１ｃ間にコンクリートを打設して場所打ちコンクリート部１６を形成する。
【００２４】
前述の側壁ブロック１１によれば、側壁ブロック１１の補強鉄筋１２として湾曲部分１２ａと該湾曲部分１２ａと連続する２つの直線部分１２ｂとを有する形状のものを採用し、該補強鉄筋１２の湾曲部分１２ａ及び湾曲部分１２ａ近傍の２つの直線部分１２ｂの一部を被接触面１１ｃから突出させてあるので、側壁ブロック１１を現場に搬入する際や搬入場所から目的場所に移動して載置する際や載置後に連結鉄筋１４等を連結する際に補強鉄筋１２の突出端に作業者の衣服が引っ掛かって衣服に破損を生じる頻度を低減でき、また、補強鉄筋１２の突出端に作業者の手足等が接触して作業者が怪我をする頻度を低減できる。
【００２５】
また、前述の側壁ブロック１１の結合構造によれば、連結鉄筋１４として両端の湾曲部分１４ａと該各湾曲部分１４ａと連続する２つの直線部分１４ｂ，１４ｃとを有する形状のものを採用しているので、側壁ブロック１１載置後に連結鉄筋１４を連結する際に連結鉄筋１４の両端に作業者の衣服が引っ掛かって衣服に破損を生じる頻度、並びに、連結鉄筋１４の両端に作業者の手足等が接触して作業者が怪我をする頻度を低減できる。
【００２６】
つまり、前述の側壁ブロック１１及びその結合構造によれば、作業時に衣服破損や怪我を生じる頻度を低減して所期の作業を安全に行うことができる。
【００２７】
また、前述の側壁ブロック１１によれば、補強鉄筋１２の湾曲部分１２ａ及び湾曲部分１２ａ近傍の２つの直線部分１２ｂの一部を被接触面１１ｃから突出し、該突出部分に同様の湾曲部分１４ａを有する連結鉄筋１４の端部を重ね合わせて連結するようにしているので、補強鉄筋１２の突出部分の長さを短くしても連結鉄筋１４との連結を的確に行うことができる。換言すれば、補強鉄筋１２の突出部分の長さを短くできるので補強鉄筋１２に係る材料費を低減することができ、また、補強鉄筋１２の突出部分の長さを短くすることによって作業時に衣服破損や怪我を生じる頻度をより低減して所期の作業をより安全に行うことができる。
【００２８】
さらに、前述の側壁ブロック１１の結合構造によれば、連結鉄筋１４の湾曲部分１４ａ近傍の２つの直線部分１４ｂ，１４ｃの一部と側壁ブロック１１の補強鉄筋１２の湾曲部分１２ａ近傍の２つの直線部分１２ｂの一部との重なり箇所をそれぞれ連結しているので、施工後の場所打ちコンクリート部１６の主に下面側に作用する外力に対抗する力（耐荷力）を確実に得ることができる。しかも、側壁ブロック補強鉄筋１２に第２の補強鉄筋１３を設けると共に連結鉄筋１４の上側の直線部分１４ｃそれぞれに第２の連結鉄筋１５の両端部を重ね合わせて連結しているので、施工後の場所打ちコンクリート部１６の主に上面側に作用する外力に対抗する力（耐荷力）を確実に得ることができる。
【００２９】
前記の補強鉄筋１２と第２の補強鉄筋１３と連結鉄筋１４と第２の連結鉄筋１５のそれぞれの太さは、施工後の場所打ちコンクリート部１６及び側壁ブロック１１の底版部１１ｂに作用する外力に応じて適宜選択される。例えば、施工後の場所打ちコンクリート部１６及び側壁ブロック１１の底版部１１ｂの下面側と上面側に作用する外力が異なる場合には、下面側に作用する外力に応じた太さのものが補強鉄筋１２及び連結鉄筋１４に用いられ、上面側に作用する外力に応じた異なる太さのものが第２の補強鉄筋１３及び第２の連結鉄筋１５に用いられる。
【００３０】
尚、図１〜図８に示した第１実施形態では、連結鉄筋１４の上側の直線部分１４ｃそれぞれに第２の連結鉄筋１５の両端部を重ね合わせて連結したものを結合構造として示したが、図９に示すように第２の連結鉄筋１５よりも長さの長いものを第２の連結鉄筋１５’として用いて、該第２の連結鉄筋１５’の端部を連結鉄筋１４の上側の直線部分１４ｃと補強鉄筋１２の上側の直線部分１２ｂの両方に重ね合わせて結束或いは溶着によって連結してもよい。
【００３１】
また、図１〜図８に示した第１実施形態では、補強鉄筋１２の突出部分と連結鉄筋１４と第２の連結鉄筋１５を場所打ちコンクリート部１６に埋設したものを結合構造として示したが、図１０に示すように複数の配力筋１７を補強鉄筋１２の突出部分と連結鉄筋１４と第２の連結鉄筋１５とそれぞれ交差する向きで配して連結し、これらを場所打ちコンクリート部１６に併せて埋設してもよい。
【００３２】
さらに、図１〜図８に示した第１実施形態では、本発明を水路または通路用の側壁ブロック１１に適用したものを示したが、擁壁，貯水槽等の他のコンクリート構造物に用いられるコンクリートブロックに本発明を適用しても、つまり、場所打ちコンクリート部を介して相互結合されるコンクリートブロックであれば本発明を適宜適用して前記同様の効果を得ることができる。
【００３３】
［第２実施形態］
図１１〜図１５は、本発明を水路または通路用の側壁ブロックに適用した第２実施形態を示す。
【００３４】
まず、図１１を参照して側壁ブロック２１の構造について説明する。図１１（Ａ）は側壁ブロックの一部破断斜視図、図１１（Ｂ）と図１１（Ｃ）は図１１（Ａ）の部分縦断面図である。
【００３５】
側壁ブロック２１は所定の幅Ｗ及び高さを有しており、側版部２１ａの下端に底版部２１ｂを備える。この側壁ブロック２１は場所打ちコンクリート部（図１５の符号２６参照）と接触する底版部２１ｂの端面（被接触面）２１ｃから補強鉄筋２２，２３の一部を突出している。
【００３６】
詳しくは、補強鉄筋２２，２３は２つ１組で用いられており、各組は幅方向に間隔をおいて複数設けられている。各組を成す一方の補強鉄筋２２は、図１１（Ｂ）に示すように略半円形の湾曲部分２２ａと該湾曲部分２２ａと連続する上下２つの直線部分２２ｂとを有する形状を成し、湾曲部分２２ａ及び湾曲部分２２ａ近傍の２つの直線部分２２ｂの一部を被接触面２１ｃから突出し且つ２つの直線部分２２ｂの残部を側壁ブロック２１に埋設されている。この補強鉄筋２２の下側の直線部分２２ｂの長さは上側の直線部分２２ｂの長さよりも長い。また、各組を成す他方の補強鉄筋２３は、図１１（Ｃ）に示すように略半円形の湾曲部分２３ａと該湾曲部分２３ａと連続する上下２つの直線部分２３ｂとを有する形状を成し、湾曲部分２３ａ及び湾曲部分２３ａ近傍の２つの直線部分２３ｂの一部を被接触面２１ｃから突出し且つ２つの直線部分２３ｂの残部を側壁ブロック２１に埋設されている。この補強鉄筋２３の下側の直線部分２３ｂの長さは上側の直線部分２３ｂの長さよりも短い。ここでの補強鉄筋２３は先に述べた補強鉄筋２２を上下反転して用いている。
【００３７】
次に、図１２〜図１５を参照して図１１に示した側壁ブロック２１の結合手順についてその結合構造を交えて説明する。
【００３８】
前記側壁ブロック２１を場所打ちコンクリート部（図１５の符号２６参照）を介して相互結合するときには、図１２（Ａ）及び図１２（Ｂ）に示すように側壁ブロック２１を互いの被接触面２１ｃが向き合うように基準面ＲＰに載置する。
【００３９】
そして、図１３（Ａ）に示すように側壁ブロック１１の相対する一方の補強鉄筋２２の突出部分（湾曲部分２２ａ及び湾曲部分２２ａ近傍の２つの直線部分２２ｂの一部）それぞれに同図に示す連結鉄筋２４の両端部を重ね合わせて結束或いは溶着によって連結する。この連結鉄筋２４は両端の略半円形の湾曲部分２４ａと該各湾曲部分２４ａと連続する上下２つの直線部分２４ｂ，２４ｃとを有する形状を成し、下側の直線部分２４ｂは両端の湾曲部分２４ａに及ぶ長さを有し、上側の直線部分２４ｃは両端の湾曲部分２４ａから内側に向けて所定の長さを有する。
【００４０】
図１３（Ａ）から分かるように、連結鉄筋２４の重ね合わせは、連結鉄筋２４の湾曲部分２４ａ近傍の２つの直線部分２４ｂ，２４ｃの一部を、側壁ブロック２１の一方の補強鉄筋２２の湾曲部分２２ａ近傍の２つの直線部分２２ｂの一部に重ね合わせることにより実施される。この連結鉄筋２４の重ね合わせ位置は図１４に示すように補強鉄筋２２の突出部分の外側である。また、連結鉄筋２４の連結は、連結鉄筋２４の湾曲部分２４ａ近傍の２つの直線部分２４ｂ，２４ｃの一部と側壁ブロック２１の補強鉄筋２２の湾曲部分２２ａ近傍の２つの直線部分２２ｂの一部との重なり箇所をそれぞれ結束或いは溶着することにより実施される。
【００４１】
また、図１３（Ｂ）に示すように側壁ブロック１１の相対する他方の補強鉄筋２３の突出部分（湾曲部分２３ａ及び湾曲部分２３ａ近傍の２つの直線部分２３ｂの一部）それぞれに同図に示す連結鉄筋２５の両端部を重ね合わせて結束或いは溶着によって連結する。この連結鉄筋２５は両端の略半円形の湾曲部分２５ａと該各湾曲部分２５ａと連続する上下２つの直線部分２５ｂ，２５ｃとを有する形状を成し、上側の直線部分２５ｂは両端の湾曲部分２５ａに及ぶ長さを有し、下側の直線部分２５ｃは両端の湾曲部分２５ａから内側に向けて所定の長さを有する。ここでの連結鉄筋２５は先に述べた連結鉄筋２４を上下反転して用いている。
【００４２】
図１３（Ｂ）から分かるように、連結鉄筋２５の重ね合わせは、連結鉄筋２５の湾曲部分２５ａ近傍の２つの直線部分２５ｂ，２５ｃの一部を、側壁ブロック２１の他方の補強鉄筋２３の湾曲部分２３ａ近傍の２つの直線部分２３ｂの一部に重ね合わせることにより実施される。この連結鉄筋２５の重ね合わせ位置は図１４に示すように補強鉄筋２３の突出部分の外側である。また、連結鉄筋２４の連結は、連結鉄筋２４の湾曲部分２４ａ近傍の２つの直線部分２４ｂ，２４ｃの一部と側壁ブロック２１の補強鉄筋２２の湾曲部分２２ａ近傍の２つの直線部分２２ｂの一部との重なり箇所をそれぞれ結束或いは溶着することにより実施される。
【００４３】
そして、図１５に示すように補強鉄筋２２，２３の突出部分及び連結鉄筋２４，２５が埋設するように側壁ブロック２１の被接触面２１ｃ間にコンクリートを打設して場所打ちコンクリート部２６を形成する。
【００４４】
前述の側壁ブロック２１によれば、側壁ブロック２１の補強鉄筋２２，２３として湾曲部分２２ａ，２３ａと該湾曲部分２２ａ，２３ａと連続する２つの直線部分２２ｂ，２３ｂとを有する形状のものを採用し、該各補強鉄筋２２，２３の湾曲部分２２ａ，２３ａ及び湾曲部分２２ａ，２３ａ近傍の２つの直線部分２２ｂ，２３ｂの一部を被接触面２１ｃから突出させてあるので、側壁ブロック２１を現場に搬入する際や搬入場所から目的場所に移動して載置する際や載置後に連結鉄筋２４，２５を連結する際に補強鉄筋２２，２３の突出端に作業者の衣服が引っ掛かって衣服に破損を生じる頻度を低減でき、また、補強鉄筋２２，２３の突出端に作業者の手足等が接触して作業者が怪我をする頻度を低減できる。
【００４５】
また、前述の側壁ブロック２１の結合構造によれば、連結鉄筋２４，２５として両端の湾曲部分２４ａ，２５ａと該各湾曲部分２４ａ，２５ａと連続する２つの直線部分２４ｂ，２４ｃ，２５ｂ，２５ｃとを有する形状のものを採用しているので、側壁ブロック２１載置後に連結鉄筋２４，２５を連結する際に連結鉄筋２４，２５の両端に作業者の衣服が引っ掛かって衣服に破損を生じる頻度、並びに、連結鉄筋２４，２５の両端に作業者の手足等が接触して作業者が怪我をする頻度を低減できる。
【００４６】
つまり、前述の側壁ブロック２１及びその結合構造によれば、作業時に衣服破損や怪我を生じる頻度を低減して所期の作業を安全に行うことができる。
【００４７】
また、前述の側壁ブロック２１によれば、補強鉄筋２２，２３の湾曲部分２２ａ，２３ａ及び湾曲部分２２ａ，２３ａ近傍の２つの直線部分２２ｂ，２３ｂの一部を被接触面２１ｃから突出し、該突出部分に同様の湾曲部分２４ａ，２５ａを有する連結鉄筋２４，２５の端部を重ね合わせて連結するようにしているので、補強鉄筋２２，２３の突出部分の長さを短くしても連結鉄筋２４，２５との連結を的確に行うことができる。換言すれば、補強鉄筋２２，２３の突出部分の長さを短くできるので補強鉄筋２２，２３に係る材料費を低減することができ、また、補強鉄筋２２，２３の突出部分の長さを短くすることによって作業時に衣服破損や怪我を生じる頻度をより低減して所期の作業をより安全に行うことができる。
【００４８】
さらに、前述の側壁ブロック２１の結合構造によれば、連結鉄筋２４，２５の湾曲部分２４ａ，２５ａ近傍の２つの直線部分２４ｂ，２４ｃ，２５ｂ，２５ｃの一部と側壁ブロック２１の補強鉄筋２２，２３の湾曲部分２２ａ，２３ａ近傍の２つの直線部分２２ｂ，２３ｂの一部との重なり箇所をそれぞれ連結しているので、施工後の場所打ちコンクリート部２６の主に下面側に作用する外力に対抗する力（耐荷力）及び主に上面側に作用する外力に対抗する力（耐荷力）を確実に得ることができる。
【００４９】
前記の補強鉄筋２２，２３と連結鉄筋２４，２５のそれぞれの太さは、施工後の場所打ちコンクリート部２６及び側壁ブロック２１の底版部２１ｂに作用する外力に応じて適宜選択される。例えば、施工後の場所打ちコンクリート部２６及び側壁ブロック２１の底版部２１ｂの下面側と上面側に作用する外力が異なる場合には、下面側に作用する外力に応じた太さのものが補強鉄筋２２及び連結鉄筋２４に用いられ、上面側に作用する外力に応じた異なる太さのものが補強鉄筋２３及び連結鉄筋２５に用いられる。
【００５０】
尚、図１１〜図１５に示した第２実施形態では、一方の連結鉄筋２４の端部を一方の補強鉄筋２２の突出部分の外側に重ね合わせ、他方の連結鉄筋２５の端部を他方の補強鉄筋２３の突出部分の外側に重ね合わせたものを結合構造として示したが、図１６に示すように一方の連結鉄筋２４の端部を一方の補強鉄筋２２の突出部分の内側に重ね合わせ、他方の連結鉄筋２５の端部を他方の補強鉄筋２３の突出部分の内側に重ね合わせてもよい。勿論、一方の連結鉄筋２４の端部を一方の補強鉄筋２２の突出部分の外側に重ね合わせ、他方の連結鉄筋２５の端部を他方の補強鉄筋２３の突出部分の内側に重ね合わせてもよい。
【００５１】
また、図１１〜図１５に示した第２実施形態では、補強鉄筋２２，２３の突出部分と連結鉄筋２４，２５を場所打ちコンクリート部２６に埋設したものを結合構造として示したが、図１７に示すように複数の配力筋２７を補強鉄筋２２，２３の突出部分と連結鉄筋２４，２５とそれぞれ交差する向きで配して連結し、これらを場所打ちコンクリート部２６に併せて埋設してもよい。
【００５２】
さらに、図１１〜図１５に示した第２実施形態では、本発明を水路または通路用の側壁ブロック２１に適用したものを示したが、擁壁，貯水槽等の他のコンクリート構造物に用いられるコンクリートブロックに本発明を適用しても、つまり、場所打ちコンクリート部を介して相互結合されるコンクリートブロックであれば本発明を適宜適用して前記同様の効果を得ることができる。
【図面の簡単な説明】
【００５３】
【図１】従来例を示すコンクリート構造物の一部破断斜視図である。
【図２】図１に示した側壁ブロックの結合手順を示す図である。
【図３】図１に示した側壁ブロックの結合手順を示す図である。
【図４】本発明の第１実施形態に係る側壁ブロックの一部破断斜視図とその部分縦断面図である。
【図５】図４に示した側壁ブロックの結合手順を示す図である。
【図６】図４に示した側壁ブロックの結合手順を示す図である。
【図７】図４に示した側壁ブロックの結合手順を示す図である。
【図８】図４に示した側壁ブロックの結合手順を示す図である。
【図９】第１実施形態の変形例を示す部分縦断面図である。
【図１０】第１実施形態の他の変形例を示す部分縦断面図である。
【図１１】本発明の第２実施形態に係る側壁ブロックの一部破断斜視図とその部分縦断面図である。
【図１２】図１１に示した側壁ブロックの結合手順を示す図である。
【図１３】図１１に示した側壁ブロックの結合手順を示す図である。
【図１４】図１１に示した側壁ブロックの結合手順を示す図である。
【図１５】図１１に示した側壁ブロックの結合手順を示す図である。
【図１６】第２実施形態の変形例を示す部分上面図である。
【図１７】第２実施形態の他の変形例を示す部分縦断面図である。
【符号の説明】
【００５４】
１１…側壁ブロック、１１ｃ…被接触面、１２…補強鉄筋、１２ａ…湾曲部分、１２ｂ…直線部分、１４…連結鉄筋、１４ａ…湾曲部分、１４ｂ…直線部分、１４ｃ…直線部分、１６…場所打ちコンクリート部、２１…側壁ブロック、２１ｃ…被接触面、２２…補強鉄筋、２２ａ…湾曲部分、２２ｂ…直線部分、２３…補強鉄筋、２３ａ…湾曲部分、２３ｂ…直線部分、２４…連結鉄筋、２４ａ…湾曲部分、２４ｂ…直線部分、２４ｃ…直線部分、２５…連結鉄筋、２５ａ…湾曲部分、２５ｂ…直線部分、２５ｃ…直線部分、２６…場所打ちコンクリート部。
【図１】
2007255057.tif 000003
【図２】
2007255057.tif 000004
【図３】
2007255057.tif 000005
【図４】
2007255057.tif 000006
【図５】
2007255057.tif 000007
【図６】
2007255057.tif 000008
【図７】
2007255057.tif 000009
【図８】
2007255057.tif 000010
【図９】
2007255057.tif 000011
【図１０】
2007255057.tif 000012
【図１１】
2007255057.tif 000013
【図１２】
2007255057.tif 000014
【図１３】
2007255057.tif 000015
【図１４】
2007255057.tif 000016
【図１５】
2007255057.tif 000017
【図１６】
2007255057.tif 000018
【図１７】
2007255057.tif 000019